(57)【要約】【課題】端末装置が案内識別情報を取得できない場合でも、当該端末装置をコンテンツの配信先として登録する。【解決手段】端末装置は、案内識別情報を含む登録要求により登録された端末装置に対して、当該案内識別情報に対応し、かつ、案内音声が放音される場所に関連するコンテンツを配信する情報提供装置と通信可能であり、前記案内音声が放音される場所で取得可能な案内識別情報を取得する識別情報取得部と、前記識別情報取得部が取得した案内識別情報を含む登録要求を前記情報提供装置に送信する送信部とを具備する。【選択図】図９
2020038695.tif 000002
【特許請求の範囲】
【請求項１】
案内識別情報を含む登録要求により登録された端末装置に対して、当該案内識別情報に対応し、かつ、案内音声が放音される場所に関連するコンテンツを配信する情報提供装置と通信可能な端末装置であって、
前記案内音声が放音される場所で取得可能な案内識別情報を取得する識別情報取得部と、
前記識別情報取得部が取得した案内識別情報を含む登録要求を前記情報提供装置に送信する送信部と
を具備する端末装置。
【請求項２】
前記識別情報取得部が前記案内識別情報を取得できない場合に、前記案内音声が放音される場所の複数の候補を利用者に提示する候補提示部を具備し、
前記送信部は、前記識別情報取得部が取得した案内識別情報、または、前記候補提示部が提示した複数の候補のうち利用者が選択した候補に対応する案内識別情報を含む登録要求を前記情報提供装置に送信する
請求項１の端末装置。
【請求項３】
当該端末装置の位置を特定する位置特定部を具備し、
前記送信部は、前記識別情報取得部が前記案内識別情報を取得できない場合に、前記位置特定部が特定した位置に近い場所に対応するコンテンツの配信先として当該端末装置を登録するための登録要求を前記情報提供装置に送信する
請求項１または請求項２の端末装置。
【請求項４】
前記案内音声の放音毎に当該案内音声に関連するコンテンツを配信する前記情報提供装置と通信可能な端末装置であって、
前記情報提供装置から配信されたコンテンツを受信する受信部と、
前記受信部が受信したコンテンツを記憶する記憶部と、
利用者からの指示を受付ける指示受付部と、
前記指示受付部が利用者から指示を受付けた場合に前記コンテンツを再生装置に再生させる再生制御部と
を具備する請求項１から請求項３の何れかの端末装置。
【請求項５】
前記再生制御部は、前記指示受付部が利用者から指示を受付けた場合に、当該指示の直近に前記受信部が受信したコンテンツを前記再生装置に再生させる
請求項４の端末装置。
【請求項６】
前記記憶部は、前記受信部が順次に受信した複数のコンテンツを記憶し、
前記指示受付部は、前記複数のコンテンツの何れかを選択する指示を利用者から受付け、
前記再生制御部は、前記指示受付部が利用者からコンテンツの選択の指示を受付けた場合に当該コンテンツを前記再生装置に再生させる
請求項４または請求項５の端末装置。
【請求項７】
案内識別情報を含む登録要求により登録された端末装置に対して、当該案内識別情報に対応し、かつ、案内音声が放音される場所に関連するコンテンツを配信する情報提供装置と通信可能な端末装置が、
前記案内音声が放音される場所で取得可能な案内識別情報を取得し、
前記取得した案内識別情報を含む登録要求を前記情報提供装置に送信する
端末装置の動作方法。
【請求項８】
案内識別情報を含む登録要求により登録された端末装置に対して、当該案内識別情報に対応し、かつ、案内音声が放音される場所に関連するコンテンツを配信する情報提供装置と通信可能な端末装置のコンピュータを、
前記案内音声が放音される場所で取得可能な案内識別情報を取得する識別情報取得部、および、
前記識別情報取得部が取得した案内識別情報を含む登録要求を前記情報提供装置に送信する送信部
として機能させるプログラム。
【発明の詳細な説明】
【技術分野】
【０００１】
本発明は、画像や音声等のコンテンツを端末装置にて再生するための技術に関する。
【背景技術】
【０００２】
画像や音声等のコンテンツを移動端末にて再生するための各種の技術が従来から提案されている。例えば特許文献１には、配信対象として事前に登録された端末装置に対して、当該端末装置の位置に応じたコンテンツを配信する技術が開示されている。
【先行技術文献】
【特許文献】
【０００３】
【特許文献１】特開２００２−３５１９０５号公報
【発明の概要】
【発明が解決しようとする課題】
【０００４】
例えば電車やバス等の交通機関では、乗降や乗換等に関する情報を利用者に案内する案内音声が随時に再生される。案内音声の発音内容の文字列や翻訳文等のコンテンツを案内音声の放音毎に利用者の端末装置に提供できれば、例えば案内音声の聴取が困難な難聴者や案内音声の言語の理解が困難な外国人等の利用者も案内音声の内容を把握できて便利である。案内音声が放音される場所において取得可能な識別情報を端末装置に送信することで、当該場所に位置する端末装置にコンテンツを提供できる。しかし、識別情報の送信に音響通信を利用する場合、音源と受聴点との距離や障害物に起因した音波の減衰により、端末装置に到達する音響の強度が不足すると、識別情報の抽出が困難となる。
【課題を解決するための手段】
【０００５】
本発明の好適な態様に係る端末装置は、案内識別情報を含む登録要求により登録された端末装置に対して、当該案内識別情報に対応し、かつ、案内音声が放音される場所に関連するコンテンツ を配信する情報提供装置と通信可能な端末装置であって、前記案内音声が放音される場所で取得可能な案内識別情報を取得する識別情報取得部と、前記識別情報取得部が取得した案内識別情報を含む登録要求を前記情報提供装置に送信する送信部とを具備する。
【０００６】
また、本発明の好適な態様に係る端末装置は、案内識別情報を含む登録要求により登録された端末装置に、当該案内識別情報に対応するコンテンツを配信する情報提供装置と通信可能な端末装置であって、前記案内音声が放音される場所で取得可能な案内識別情報を取得する識別情報取得部と、前記識別情報取得部が前記案内識別情報を取得できない場合に、前記案内音声が放音される場所の複数の候補を利用者に提示する候補提示部と、前記識別情報取得部が取得した案内識別情報、または、前記候補提示部が提示した複数の候補のうち利用者が選択した候補に対応する案内識別情報を含む登録要求を前記情報提供装置に送信する送信部とを具備する。以上の態様では、案内音声が放音される場所で取得された案内識別情報を含む登録要求が情報提供装置に送信され、当該登録要求により当該端末装置がコンテンツの配信先として登録されるから、案内音声が放音される場所に所在する端末装置に限定してコンテンツを配信することが可能である。また、識別情報取得部が案内識別情報を取得できない場合に、案内音声が放音される場所の複数の候補が利用者に提示され、複数の候補のうち利用者が選択した候補に対応する案内識別情報を含む登録要求が情報提供装置に送信されるから、端末装置が案内識別情報を取得できない場合でも、当該端末装置をコンテンツの配信先として登録することが可能である。
【０００７】
本発明の好適な態様に係る端末装置は、当該端末装置の位置を特定する位置特定部を具備し、前記送信部は、前記識別情報取得部が前記案内識別情報を取得できない場合に、前記位置特定部が特定した位置に近い場所に対応するコンテンツの配信先として当該端末装置を登録するための登録要求を前記情報提供装置に送信する。以上の態様では、識別情報取得部が案内識別情報を取得できない場合に、位置特定部が特定した位置に近い場所に関するコンテンツの配信先として当該端末装置を登録するための登録要求が情報提供装置に送信されるから、端末装置が案内識別情報を取得できない場合でも、当該端末装置をコンテンツの配信先として登録することが可能である。
【０００８】
本発明の好適な態様に係る端末装置は、当該端末装置の位置を特定する位置特定部を具備し、前記候補提示部は、前記位置特定部が特定した位置を含む所定の範囲内の複数の候補を利用者に提示する。以上の態様では、端末装置の位置を含む所定の範囲内の複数の候補が利用者に提示されるから、端末装置の実際の位置とは無関係に複数の候補が提示される構成と比較して、端末装置が所在する場所（案内音声が放音される場所）を選択する利用者の負担を軽減することが可能である。
【０００９】
なお、案内音声の放音毎に配信される全部のコンテンツが端末装置で再生された場合、端末装置の利用者に不要なコンテンツまで再生される結果となり、コンテンツを再生する端末装置の処理負荷が増大するという問題が生じ得る。以上の課題を解決するために、本発明の端末装置は、案内音声の放音毎に当該案内音声に関連するコンテンツを配信する情報提供装置と通信可能な端末装置であって、前記情報提供装置から配信されたコンテンツを受信する受信部と、前記受信部が受信したコンテンツを記憶する記憶部と、利用者からの指示を受付ける指示受付部と、前記指示受付部が利用者から指示を受付けた場合に前記コンテンツを再生装置に再生させる再生制御部とを具備する。以上の態様では、案内音声の放音毎に情報提供装置から端末装置にコンテンツが順次に配信される状況のもとで、利用者からの指示を受付けた場合にコンテンツが再生され、利用者からの指示がない場合にはコンテンツが再生されない。したがって、案内音声の放音に連動して順次に配信される複数のコンテンツのうち利用者の所望のコンテンツを選択的に利用者に提示することが可能である。また、受信部が受信した全部のコンテンツが利用者の意図とは無関係に再生される構成と比較して、再生装置によるコンテンツの再生に必要な処理負荷を軽減することが可能である。
【００１０】
本発明の好適な態様に係る端末装置は、前記再生制御部は、前記指示受付部が利用者から指示を受付けた場合に、当該指示の直近に前記受信部が受信したコンテンツを前記再生装置に再生させる。以上の態様では、利用者からの指示の直近に受信部が受信したコンテンツが再生されるから、利用者が聴取する案内音声と再生装置から再生されるコンテンツとの時間的な対応を利用者が把握し易いという利点がある。例えば、利用者が案内音声を聴取した結果としてコンテンツの再生を所望した場合に、当該案内音声の聴取の直後に端末装置に指示を付与することで、当該案内音声に対応したコンテンツを再生することが可能である。
【００１１】
本発明の好適な態様に係る端末装置は、前記記憶部は、前記受信部が順次に受信した複数のコンテンツを記憶し、前記指示受付部は、前記複数のコンテンツの何れかを選択する指示を利用者から受付け、前記再生制御部は、前記指示受付部が利用者からコンテンツの選択の指示を受付けた場合に当該コンテンツを前記再生装置に再生させる。以上の態様では、受信部が情報提供装置から順次に受信して記憶部が記憶した複数のコンテンツから利用者が選択したコンテンツが再生される。したがって、利用者が過去に聴取した複数の案内音声の何れかに対応する所望のコンテンツを再生することが可能である。
【００１２】
以上の課題を解決するために、本発明の情報提供システムは、案内音声を順次に放音する放音装置と、前記放音部による前記案内音声の放音毎に当該案内音声に関連するコンテンツを配信する情報提供装置と、前記情報提供装置と通信可能な端末装置とを具備する情報提供システムであって、前記端末装置は、前記情報提供装置から送信されたコンテンツを受信する受信部と、前記受信部が受信したコンテンツを記憶する記憶部と、利用者からの指示を受付ける指示受付部と、前記指示受付部が利用者から指示を受付けた場合に前記コンテンツを再生装置に再生させる再生制御部とを具備する。以上の情報提供システムによれば、本発明の端末装置と同様の効果が実現される。
【図面の簡単な説明】
【００１３】
【図１】本発明の第１実施形態に係る情報提供システムの構成図である。
【図２】音声案内装置の構成図である。
【図３】信号合成部の構成図である。
【図４】端末装置の構成図である。
【図５】情報提供装置の構成図である。
【図６】コンテンツの再生指示の説明図である。
【図７】コンテンツの再生の一例の説明図である。
【図８】案内音声の放音と提供指示および再生指示との時間的な関係の説明図である。
【図９】情報提供システムの動作の説明図である。
【図１０】第２実施形態の情報提供装置の構成図である。
【図１１】第２実施形態の端末装置の構成図である。
【図１２】コンテンツの選択指示の説明図である。
【図１３】第３実施形態の端末装置の構成図である。
【図１４】端末装置の動作の説明図である。
【図１５】候補の選択指示の説明図である。
【図１６】第４実施形態の端末装置の構成図である。
【図１７】端末装置の動作の説明図である。
【発明を実施するための形態】
【００１４】
＜第１実施形態＞
図１は、第１実施形態に係る情報提供システム１の構成図である。第１実施形態の情報提供システム１は、電車やバス等の交通機関の利用者Ｕに情報を提供するコンピュータシステムであり、音声案内装置１０と情報提供装置２０とを具備する。音声案内装置１０は、電車やバス等の車輌Ｍに設置され、インターネット等を含む通信網４００を介して情報提供装置２０と通信する。情報提供装置２０は、例えば通信網４００に接続されたサーバ（例えばウェブサーバ）である。利用者Ｕは、端末装置３０を携帯して車輌Ｍに乗車する。端末装置３０は、例えば携帯電話機やスマートフォン等の可搬型の情報処理装置である。なお、実際には車輌Ｍ内の複数の利用者Ｕが情報提供システム１のサービスを利用し得るが、以下の説明では便宜的に１個の端末装置３０に着目する。
【００１５】
音声案内装置１０は、交通機関に関する案内用の音声（以下「案内音声」という）を車輌Ｍ内の利用者Ｕに対して放音する。案内音声は、例えば交通機関の乗降（電車の駅やバスの停留所等の停車地点の名称）や乗換，運賃，運行状況（例えば遅延の有無），周辺の観光地等を案内する音声である。音声案内装置１０を管理する案内者ＯPが車輌Ｍの運行状況等に応じて選択した案内音声が、音声案内装置１０から放音される。
【００１６】
音声案内装置１０は、案内音声の放音に並行して、当該案内音声に関連するコンテンツＣの提供指示Ｐを情報提供装置２０に送信する。情報提供装置２０は、提供指示Ｐで指定されたコンテンツＣを端末装置３０に送信する。コンテンツＣは、案内音声に関連する音声または画像（例えば静止画，動画，文字列）である。例えば、案内音声の発音内容を表現した文字列や当該発音内容の言語を他言語に翻訳した文字列または音声等の各種の情報がコンテンツＣとして端末装置３０に提供される。なお、第１実施形態では、複数の案内対象に関する案内の提供を想定する。案内対象は、案内の客体を意味し、典型的には案内音声が放音される場所である。図１では交通機関の車輌Ｍを案内対象として例示したが、実際には複数の案内対象の各々について（例えば同種の交通機関の車輌Ｍ毎に）音声案内装置１０が設置される。他方、情報提供装置２０は複数の案内対象にわたり共用される。
【００１７】
図２は、音声案内装置１０の構成図である。図２に例示される通り、音声案内装置１０は、操作部１１と制御部１２と記憶部１３と放音部１４と通信部１５とを具備する。
【００１８】
記憶部１３は、プログラムや各種のデータを記憶する。例えば半導体記録媒体や磁気記録媒体等の公知の記録媒体または複数種の記録媒体の組み合わせが記憶部１３として任意に採用される。図２に例示される通り、第１実施形態では、相異なる案内音声を表す複数の音響信号（以下「案内信号」という）ＡGが記憶部１３に記憶される。任意の１種類の案内音声に対応する案内信号ＡGには、当該案内音声に関連するコンテンツＣの識別情報Ｄが対応付けられる。また、記憶部１３には、音声案内装置１０が設置される案内対象（例えば車輌Ｍ）に固有の識別情報（以下「案内識別情報」という）Ｇが記憶されている。
【００１９】
操作部１１は、案内者ＯPが操作する入力機器である。例えば案内者ＯPは、操作部１１を適宜に操作することで、記憶部１３に記憶された複数の案内信号ＡGのうち任意の１個の案内信号ＡG（案内音声）を選択することが可能である。
【００２０】
制御部１２は、例えばＣＰＵ等の処理装置で構成される。記憶部１３に記憶されたプログラムを制御部１２が実行することで、音声案内装置１０の各機能（読出部１２２、信号合成部１２４、提供指示部１２６）が実現される。
【００２１】
読出部１２２は、操作部１１に対する操作で案内者ＯPが案内信号ＡGを選択したことを契機として、当該案内信号ＡGと案内識別情報Ｇとを記憶部１３から読み出して信号合成部１２４に通知する一方、当該案内信号ＡGに対応付けられた識別情報Ｄと案内識別情報Ｇとを提供指示部１２６に通知する。
【００２２】
信号合成部１２４は、案内識別情報Ｇを案内信号ＡGに重畳することで再生信号Ｓ1を生成する。案内信号ＡGに対する案内識別情報Ｇの重畳（音響透かし）には公知の方法が任意に採用され得るが、例えば特開２０１４−１８７６８６号公報に開示された方法が好適である。
【００２３】
図３は、信号合成部１２４の構成を示すブロック図である。図３に例示される通り、信号合成部１２４は、変調処理部１２４２と混合処理部１２４４とを包含する。変調処理部１２４２は、所定の周波数の正弦波等の搬送波を案内識別情報Ｇで周波数変調することで特定の周波数帯域内の変調信号ＳGを生成する。変調信号ＳGの周波数帯域は、放音部１４による放音と端末装置３０による収音とが可能な周波数帯域であり、かつ、利用者Ｕが通常の環境で聴取する音響（音声や楽音）の周波数帯域（例えば可聴域内の約１６ｋＨｚ以下）を上回る周波数帯域（例えば１８ｋＨｚ以上かつ２０ｋＨｚ以下）の範囲内に包含される。混合処理部１２４４は、読出部１２２から供給された案内信号ＡGと、変調処理部１２４２によって生成された変調信号ＳGとを混合（典型的には加算）することで再生信号Ｓ1を生成する。なお、変調処理部１２４２が変調信号ＳGを生成する方法は以上の例示（周波数変調）に限定されない。例えば、国際公開第２０１０／０１６５８９号に開示されるように、拡散符号を利用した案内識別情報Ｇの拡散変調と所定の周波数の搬送波を利用した周波数変換とを順次に実行することで、案内識別情報Ｇを特定の周波数帯域の音響成分として含有する変調信号ＳGを生成することも可能である。
【００２４】
図２の放音部１４は、信号合成部１２４から供給される再生信号Ｓ1に応じた音響を放音する音響機器である。すなわち、放音部１４は、案内音声と案内識別情報Ｇの音響成分（変調信号ＳG）とを含む音響を放音する。なお、再生信号Ｓ1をデジタルからアナログに変換するＤ/Ａ変換器の図示は便宜的に省略されている。
【００２５】
提供指示部１２６は、コンテンツＣの提供指示Ｐを生成する。具体的には、提供指示部１２６は、放音部１４から放音される案内音声に関連するコンテンツＣの配信を情報提供装置２０に対して指示する提供指示Ｐを生成する。提供指示Ｐは、コンテンツＣの識別情報Ｄと車輌Ｍの案内識別情報Ｇとを包含する。
【００２６】
通信部１５は、通信網４００を介して情報提供装置２０と通信する通信機器である。具体的には、通信部１５は、提供指示部１２６が生成した提供指示Ｐを、通信網４００を介して情報提供装置２０に送信する。以上の説明から理解される通り、放音部１４による案内音声の放音と情報提供装置２０に対する提供指示Ｐの送信とが並列に実行される。すなわち、放音部１４による案内音声の放音毎に音声案内装置１０から情報提供装置２０に提供指示Ｐが送信される。
【００２７】
図４は、端末装置３０の構成図である。図４に例示される通り、端末装置３０は、収音部３１と操作部３２と記憶部３３と出力部３４と通信部３５と制御部３６とを具備する。収音部３１は、周囲の音響を収音する音響機器（マイクロホン）であり、音声案内装置１０の放音部１４から放音される音響を収音して音響信号Ｓ2を生成する。音響信号Ｓ2は、案内識別情報Ｇの音響成分を含有する。なお、収音部３１が生成した音響信号Ｓ2をアナログからデジタルに変換するＡ/Ｄ変換器の図示は便宜的に省略されている。出力部３４は、各種の情報を出力する。第１実施形態の出力部３４は、文字列や画像を表示する表示装置（例えば液晶表示パネル等）である。記憶部３３は、プログラムや各種のデータを記憶する。例えば半導体記録媒体や磁気記録媒体等の公知の記録媒体または複数種の記録媒体の組み合わせが記憶部３３として任意に採用される。第１実施形態では、端末装置３０を一意に識別するための識別情報（以下「端末識別情報」という）Ｔが記憶部３３に記憶される。
【００２８】
制御部３６は、例えばＣＰＵ等の処理装置で構成される。記憶部３３に記憶されたプログラムを制御部３６が実行することで、端末装置３０の各機能（情報抽出部３６１、指示受付部３６２、再生制御部３６３、管理部３６４）が実現される。
【００２９】
情報抽出部３６１は、収音部３１が生成した音響信号Ｓ2の復調で、音声案内装置１０から通知された案内識別情報Ｇを抽出する。情報抽出部３６１は、音響信号Ｓ2のうち案内識別情報Ｇを含む周波数帯域の帯域成分を例えば帯域通過フィルタで強調して復調（周波数復調）することで案内識別情報Ｇを抽出する。以上の説明から理解される通り、空気振動たる音響を伝送媒体とする音響通信で案内識別情報Ｇが音声案内装置１０から端末装置３０に送信される。すなわち、案内音声を放音する放音部１４が、案内識別情報Ｇを送信する要素として流用され、端末装置３０の収音部３１が、案内識別情報Ｇを受信する要素として機能する。
【００３０】
管理部３６４は、情報抽出部３６１が抽出した案内識別情報Ｇを含む登録要求Ｒを生成する。登録要求Ｒは、案内識別情報Ｇで指定される案内対象の案内音声に関連するコンテンツＣの提供対象として当該端末装置３０を登録（チェックイン）することを要求する信号である。登録要求Ｒは、記憶部３３に記憶された端末識別情報Ｔと情報抽出部３６１が抽出した案内識別情報Ｇとを包含する。任意の１個の案内対象の案内識別情報Ｇは、当該案内対象の案内音声が放音される場所（放音部１４による放射音が有意な強度で到達する範囲内）で限定的に受信可能である。したがって、特定の案内対象の案内識別情報Ｇを含む登録要求Ｒを送信した端末装置３０は、当該案内対象の案内音声が放音される場所（例えば車輌Ｍ内）に位置すると推定される。
【００３１】
通信部３５は、通信網４００を介して情報提供装置２０と通信する通信機器である。具体的には、通信部３５は、管理部３６４が生成した登録要求Ｒを情報提供装置２０に送信する一方、情報提供装置２０から送信されたコンテンツＣを通信網４００から受信する。
【００３２】
前述の通り、音声案内装置１０は、案内音声の放音毎に情報提供装置２０に提供指示Ｐを送信し、情報提供装置２０は、音声案内装置１０から提供指示Ｐを受信する毎に端末装置３０にコンテンツＣを送信する。以上の説明から理解される通り、端末装置３０の通信部３５は、案内音声の放音毎に情報提供装置２０から送信されたコンテンツＣを受信する要素（受信部）として機能する。通信部３５が情報提供装置２０から順次に受信するコンテンツＣは記憶部３３に記憶される。
【００３３】
図５は、情報提供装置２０の構成図である。情報提供装置２０は、例えば通信網４００に接続されたサーバ装置（典型的にはウェブサーバ）であり、図５に例示される通り、制御部２２と記憶部２４と通信部２６とを具備する。通信部２６は、通信網４００を介して端末装置３０および音声案内装置１０の各々と通信する。第１実施形態の通信部２６は、音声案内装置１０が送信した提供指示Ｐと端末装置３０が送信した登録要求Ｒとを通信網４００を介して受信する。記憶部２４は、例えば磁気記録媒体や半導体記録媒体等の公知の記録媒体であり、複数のコンテンツＣと登録情報Ｅとを記憶する。図５に例示される通り、複数のコンテンツＣ（Ｃ11，Ｃ12，……）の各々には、当該コンテンツＣの識別情報Ｄ（Ｄ11，Ｄ12，……）と、当該コンテンツＣに対応する案内音声が放音される案内対象（車輌Ｍ）の案内識別情報Ｇ（Ｇ1，Ｇ2，……）とが付加される。
【００３４】
登録情報Ｅは、各案内対象の案内音声に関連するコンテンツＣの提供対象となる端末装置３０を指定する。具体的には、登録情報Ｅは、図５に例示される通り、案内対象に固有の案内識別情報Ｇ（Ｇ1，Ｇ2，……）と、当該案内対象の案内音声に関連するコンテンツＣの提供対象となる１個以上の端末装置３０の端末識別情報Ｔ（Ｔ11，Ｔ12，……）とを対応させたデータテーブルである。
【００３５】
制御部２２は、例えばＣＰＵ等の処理装置で構成され、記憶部２４に記憶されたプログラムを実行することで登録処理部２２２および情報配信部２２４として機能する。登録処理部２２２は、端末装置３０から送信された登録要求Ｒに応じて登録情報Ｅを更新する。具体的には、登録処理部２２２は、登録情報Ｅに含まれる複数の案内識別情報Ｇのうち登録要求Ｒで指定される案内識別情報Ｇについて、当該登録要求Ｒで指定される端末識別情報Ｔを対応させる。すなわち、登録要求Ｒ内の案内識別情報Ｇが指定する案内対象のコンテンツＣの配信対象として、当該登録要求Ｒで指定された端末識別情報Ｔの端末装置３０が登録される。
【００３６】
情報配信部２２４は、音声案内装置１０から受信した提供指示Ｐで指定された識別情報ＤのコンテンツＣを、当該提供指示Ｐで指定された案内識別情報Ｇについて登録情報Ｅに登録された各端末装置３０（すなわち当該案内対象について登録されたコンテンツＣの配信対象）に送信する。前述の通り、特定の案内対象の案内識別情報Ｇを含む登録要求Ｒを送信した端末装置３０は、当該案内対象の案内音声が放音される場所（例えば車輌Ｍ内）に位置すると推定される。したがって、案内対象の案内音声が放音される場所に位置する端末装置３０には、当該案内対象の案内音声に対応するコンテンツＣが提供される。
【００３７】
以上の例示の通り、第１実施形態では、案内音声の放音毎に、当該案内音声に関連するコンテンツＣが情報提供装置２０から端末装置３０に配信（プッシュ配信）される。以上の構成のもとで、案内音声の放音毎に配信される全部のコンテンツＣが端末装置３０で再生されると、端末装置３０の利用者Ｕに不要なコンテンツＣまで再生される結果となり、端末装置３０の処理負荷が増大するという問題もある。以上の事情を考慮して、第１実施形態では、利用者Ｕが指示した場合にコンテンツＣを再生させる一方、利用者Ｕが指示しない場合には当該コンテンツＣを再生しない構成を採用する。
【００３８】
図４に図示された端末装置３０の指示受付部３６２は、操作部３２に対する利用者Ｕからの指示を受付ける。第１実施形態の指示受付部３６２は、情報提供装置２０から配信されたコンテンツＣの再生の指示（以下「再生指示」という）を利用者Ｕから受付ける。例えば図６に例示される通り、確認ボタン３４２を含む再生指示画面３４０が出力部３４に表示され、指示受付部３６２は、確認ボタン３４２に対する利用者Ｕからの操作を再生指示として受付ける。利用者Ｕは、放音部１４から放音される案内音声を聴取し、自分に関係する案内音声であると推測した場合には再生指示を付与する一方、自分に無関係の案内音声であると推測した場合には再生指示を付与しない。
【００３９】
再生制御部３６３は、指示受付部３６２が利用者Ｕから再生指示を受付けた場合に、情報提供装置２０から受信したコンテンツＣを出力部３４に表示させる。例えば、図６に例示される再生指示画面３４０の確認ボタン３４２に対する操作で、指示受付部３６２が利用者ＵからコンテンツＣの再生指示を受付けた場合に、再生制御部３６３は、利用者Ｕからの再生指示の直近（直前）に通信部３５が情報提供装置２０から受信したコンテンツＣを出力部３４に表示させる。すなわち、出力部３４は、再生制御部３６３からの指示に応じて、コンテンツＣを再生する再生装置として機能する。
【００４０】
図７は、コンテンツＣの再生の一例の説明図である。図７では、放音部１４から放音された「次は渋谷です」という案内音声に対応するコンテンツＣが、利用者Ｕからの再生指示を契機として出力部３４により再生された状況が例示されている。図７では、案内音声の発話内容を他言語に翻訳した文字列「The next station is Shibuya.」のコンテンツＣが再生された場合が例示されている。
【００４１】
図８は、案内音声の放音と提供指示Ｐおよび再生指示との時間的な関係の説明図である。案内音声の放音毎に音声案内装置１０から情報提供装置２０に提供指示Ｐが送信され、図８に例示される通り、提供指示Ｐの伝送やコンテンツＣの選択および端末装置３０への配信に必要な時間だけ提供指示Ｐの送信から遅延した時点で端末装置３０が実際にコンテンツＣを受信する。第１実施形態では、利用者Ｕによる再生指示の直前に受信されたコンテンツＣが再生されるから、当該再生指示の時点では端末装置３０がコンテンツＣを受信している必要がある。以上の事情を考慮して、案内音声を聴取した利用者Ｕが自身に必要な情報であるか否かを判断して操作部３２に再生指示を付与可能となる時点では端末装置３０による当該案内音声のコンテンツＣの受信が既に完了しているように、音声案内装置１０による提供指示Ｐの送信は、案内音声の放音の開始から遅滞なく（例えば案内音声の放音を開始した直後の時点や放音前の時点）実行される。図８では、案内音声の放音の開始と略同時に提供指示Ｐを送信する場合が例示されている。
【００４２】
＜全体動作＞
図９は、情報提供システム１の全体的な動作の説明図である。案内者ＯPによる案内信号ＡGの選択を契機として、放音部１４に対する再生信号Ｓ1の供給で案内音声の再生が開始されるとともに（ＳA1）、提供指示部１２６は、識別情報Ｄと案内識別情報Ｇとを含むコンテンツＣの提供指示Ｐを通信部１５から情報提供装置２０に送信する（ＳA2）。情報提供装置２０は、音声案内装置１０から受信した提供指示Ｐで指定された識別情報ＤのコンテンツＣを選択する（ＳA3）。そして、情報提供装置２０は、提供指示Ｐで指定された案内識別情報Ｇについて登録情報Ｅに登録された各端末装置３０に対して、ステップＳA3で選択したコンテンツＣを送信する（ＳA4）。
【００４３】
端末装置３０の通信部３５は、情報提供装置２０から送信されたコンテンツＣを通信網４００から受信し（ＳA5）、当該コンテンツＣを記憶部３３に記憶させる（ＳA6）。端末装置３０の再生制御部３６３は、指示受付部３６２が利用者Ｕから再生指示を受付けたか否かを例えば所定の時間毎に判定する（ＳA7）。指示受付部３６２が再生指示を受付けると（ＳA7:YES）、再生制御部３６３は、当該再生指示の直近に受信したコンテンツＣを出力部３４に再生させる（ＳA8）。他方、利用者ＵからコンテンツＣの再生指示を受付けない場合（ＳA7：NO）にはコンテンツＣの再生は実行されない。
【００４４】
以上に説明した通り、第１実施形態では、案内音声の放音毎に情報提供装置２０から端末装置３０にコンテンツＣが順次に配信される状況のもとで、指示受付部３６２が利用者ＵからコンテンツＣの再生指示を受付けた場合にコンテンツＣが再生され、利用者Ｕから再生指示がない場合にはコンテンツＣは再生されない。したがって、案内音声の放音に連動して順次に配信される複数のコンテンツＣのうち、利用者Ｕの所望のコンテンツを選択的に再生させることが可能である。また、通信部３５が受信した全部のコンテンツＣが利用者Ｕの意図とは無関係に再生される構成と比較して、出力部３４によるコンテンツＣの再生に必要な処理負荷を軽減することが可能である。
【００４５】
＜第２実施形態＞
第１実施形態では、利用者Ｕによる再生指示の直前に端末装置３０が受信した１個のコンテンツＣを再生したが、実際の利用の場面では、端末装置３０が過去に受信したコンテンツＣの確認を利用者Ｕが所望する場合がある。以上の事情を考慮して、第２実施形態では、第１実施形態の構成に加えて、端末装置３０が案内音声の放音毎に過去に受信した複数のコンテンツＣを利用者Ｕからの指示に応じて選択的に再生させる。
【００４６】
図１０は、第２実施形態の情報提供装置２０の構成図である。図１０に例示される通り、第２実施形態では、複数のコンテンツＣの各々（Ｃ11,Ｃ12,……）にコンテンツ情報Ｌ（Ｌ11,Ｌ12,……）がさらに付加される。コンテンツ情報Ｌは、コンテンツＣの概略的な内容を表す情報（例えば見出しの文字列）である。第１実施形態と同様に案内音声の放音毎に音声案内装置１０から送信された提供指示Ｐを受信すると、情報提供装置２０は、当該提供指示Ｐの識別情報Ｄが指定するコンテンツＣと当該コンテンツＣに関連するコンテンツ情報Ｌとを、登録情報Ｅで登録された配信対象の端末装置３０に送信する。
【００４７】
図１１は、第２実施形態の端末装置３０の構成図である。図１１に例示される通り、通信部３５は、情報提供装置２０から送信されたコンテンツＣおよびコンテンツ情報Ｌを通信網４００から受信する。記憶部３３には、情報提供装置２０から配信されるコンテンツＣとコンテンツ情報Ｌとが順次に格納される。すなわち、提供指示Ｐ毎（案内音声の放音毎）に配信された複数のコンテンツＣと各々のコンテンツ情報Ｌとが時間の経過とともに記憶部３３に蓄積される。
【００４８】
利用者Ｕは、操作部３２を適宜に操作することで、第１実施形態と同様の再生指示のほか、過去に受信されたコンテンツＣの確認の指示（以下「履歴確認指示」という）を付与することが可能である。指示受付部３６２は、再生指示または履歴確認指示を利用者Ｕから受付ける。
【００４９】
指示受付部３６２が再生指示を受付けると、再生制御部３６３は、第１実施形態と同様に、当該再生指示の直前のコンテンツＣ（すなわち最新のコンテンツＣ）を記憶部３３から取得して出力部３４に表示させる。したがって、第２実施形態においても第１実施形態と同様の効果が実現される。
【００５０】
他方、指示受付部３６２が履歴確認指示を受付けると、再生制御部３６３は、図１２に例示される通り、利用者ＵがコンテンツＣの選択を指示するための選択指示画面３５０を出力部３４に表示させる。再生制御部３６３は、記憶部３３に蓄積された複数のコンテンツＣに対応するコンテンツ情報Ｌ（Ｌ1，Ｌ2，……）を選択指示画面３５０に時系列順（受信時刻順）に表示させる。具体的には、利用者Ｕが過去に聴取した案内音声を判別できる程度の文字列（例えば、△号乗車アナウンス,〇号乗車アナウンス,□号乗車アナウンス,◇号乗車アナウンス）がコンテンツ情報Ｌとして表示される。図１２では、コンテンツＣの受信時刻を各コンテンツ情報Ｌの近傍に配置した画像が例示されている。以上の説明から理解される通り、選択指示画面３５０は、過去におけるコンテンツＣの受信の履歴を示す画像とも換言され得る。
【００５１】
利用者Ｕは、操作部３２を適宜に操作することで、図１２の選択指示画面３５０に表示された複数のコンテンツ情報Ｌのうち再生を所望するコンテンツＣのコンテンツ情報Ｌを選択することが可能である。指示受付部３６２は、利用者ＵによるコンテンツＣの選択の指示を受付ける。再生制御部３６３は、指示受付部３６２が利用者ＵからコンテンツＣの選択指示を受付けた場合に、当該コンテンツＣを出力部３４に再生させる。すなわち、端末装置３０が過去に受信した複数のコンテンツＣのうち利用者Ｕの所望のコンテンツＣが再生される。
【００５２】
以上に説明した通り、第２実施形態では、通信部３５が情報提供装置２０から順次に受信して記憶部３３が記憶した複数のコンテンツＣのうち、利用者Ｕが選択したコンテンツＣが再生される。したがって、利用者が過去に聴取した複数の案内音声の何れかに対応する所望のコンテンツＣを再生することが可能である。なお、第２実施形態では、過去に受信した複数のコンテンツＣを記憶部３３に記憶する必要があるが、再生指示の直近（直前）に通信部３５が受信したコンテンツＣを再生させる前述の第１実施形態では、最新の１個のコンテンツＣのみを記憶部３３が記憶すれば足り、過去の複数のコンテンツＣを記憶する必要は必ずしもない。
【００５３】
＜第３実施形態＞
前述の各形態では、情報抽出部３６１が音響信号Ｓ2から抽出した案内識別情報Ｇを含む登録要求Ｒを情報提供装置２０に送信した。しかし、実際の音響通信では、音源と受聴点との距離や障害物に起因した音波の減衰により強度が低下するから、音声案内装置１０から放音された音響が有意な強度で端末装置３０に到達しない場合がある。音声案内装置１０から端末装置３０に到達する音響の強度が不足すると、案内識別情報Ｇの抽出が困難となる。以上の事情を考慮して、第３実施形態では、収音部３１による収音の開始から所定期間内に情報抽出部３６１が案内識別情報Ｇを取得できない場合、事前に記憶された複数の案内対象を利用者Ｕに提示し、利用者Ｕから選択された案内対象に対応する案内識別情報Ｇを取得する。
【００５４】
図１３は、第３実施形態の端末装置３０の構成図である。図１３に例示される通り、第３実施形態の端末装置３０は、第１実施形態で例示した端末装置３０に候補提示部３６６が付加される。記憶部３３には案内対象候補テーブルＴBが記憶される。案内対象候補テーブルＴBは、図１３に例示される通り、案内音声が放音される場所（案内対象）の複数の候補（以下「案内対象候補」という）の各々に当該案内対象の案内識別情報Ｇ（Ｇ1，Ｇ2，……）が対応付けられたデータテーブルである。
【００５５】
図１４は、第３実施形態において端末装置３０が登録要求Ｒを生成する動作のフローチャートである。操作部３２に対する利用者Ｕからの操作を契機として図１４の処理が開始される。
【００５６】
情報抽出部３６１は、第１実施形態と同様の手法により、収音部３１が生成した音響信号Ｓ2から案内識別情報Ｇを抽出する処理（以下「抽出処理」という）を実行する（ＳB1）。前述の通り、例えば音声案内装置１０から放音された音響が有意な強度で端末装置３０に到達しない場合には、情報抽出部３６１は案内識別情報Ｇを抽出できない。管理部３６４は、情報抽出部３６１が案内識別情報Ｇを抽出できた否かを判定する（ＳB2）。
【００５７】
具体的には、管理部３６４は、情報抽出部３６１による抽出処理の開始の時点（あるいは利用者から抽出処理の開始が指示された時点）から、案内識別情報Ｇが抽出されることなく所定の時間が経過（タイムアウト）した場合に、情報抽出部３６１が案内識別情報Ｇを抽出できないと判定する。ただし、案内識別情報Ｇの抽出の可否を管理部３６４が判断する方法は以上の例示に限定されない。例えば、収音部３１が生成する音響信号Ｓ2の音量やＳ/Ｎ比が所定値を下回る場合に案内識別情報Ｇを抽出できないと判定することも可能である。
【００５８】
情報抽出部３６１が案内識別情報Ｇを抽出できた場合（ＳB2：YES）、管理部３６４は、第１実施形態と同様に、当該案内識別情報Ｇと端末装置３０の端末識別情報Ｔとを含む登録要求Ｒを生成し（ＳB3）、通信部３５は当該登録要求Ｒを情報提供装置２０に送信する（ＳB4）。
【００５９】
他方、情報抽出部３６１が案内識別情報Ｇを抽出できないと管理部３６４が判定した場合（ＳB2：NO）、図１３の候補提示部３６６は、複数の案内対象候補（すなわち案内音声が放音される場所の候補）を当該利用者Ｕに提示する（ＳB5）。具体的には、候補提示部３６６は、案内対象候補テーブルＴBに含まれる複数の案内対象候補を記憶部３３から読み出して出力部３４に表示させる。例えば、候補提示部３６６は、図１５に例示される通り、複数の案内対象候補（車輌Ｍ1,車輌Ｍ2,車輌Ｍ3…）を含む候補選択画面３６０を表示させる。利用者Ｕは、候補選択画面３６０に表示された複数の案内対象候補のうち、例えば、自らが所在する案内対象（例えば車輌Ｍ1）に対応する案内対象候補を操作部３２に対する操作で選択する。
【００６０】
管理部３６４は、利用者Ｕが選択した案内対象候補の案内識別情報Ｇを案内対象候補テーブルＴBから検索し、当該案内識別情報Ｇと端末識別情報Ｔとを含む登録要求Ｒを生成する（ＳB6）。そして、通信部３５は、管理部３６４が生成した登録要求Ｒを情報提供装置２０に送信する。すなわち、通信部３５は、情報抽出部３６１（識別情報取得部）が取得した案内識別情報Ｇ、または、候補提示部３６６が提示した複数の案内対象候補のうち利用者Ｕが選択した案内対象候補に対応する案内識別情報Ｇを含む登録要求Ｒを情報提供装置２０に送信する送信部として機能する。
【００６１】
以上に説明した通り、第３実施形態では、案内音声が放音される場所で取得された案内識別情報Ｇを含む登録要求Ｒが情報提供装置２０に送信され、当該登録要求Ｒにより、当該端末装置３０がコンテンツＣの配信先として登録される。したがって、第１実施形態と同様に、案内音声が放音される場所に所在する端末装置３０に限定してコンテンツＣを配信することが可能である。
【００６２】
また、第３実施形態では、情報抽出部３６１が案内識別情報Ｇを取得できない場合に、複数の案内対象候補のうち利用者Ｕが選択した案内対象候補の案内識別情報Ｇを含む登録要求Ｒが情報提供装置２０に送信される。したがって、案内音声の強度の不足等の要因で案内識別情報Ｇを取得できない場合でも、端末装置３０をコンテンツＣの配信先として登録することが可能である。
【００６３】
＜第４実施形態＞
第３実施形態では、情報抽出部３６１が案内識別情報Ｇを取得できない場合に、複数の案内対象候補のうち利用者Ｕが選択した案内対象候補の案内識別情報Ｇを含む登録要求Ｒを生成した。しかし、利用者Ｕが実際に所在する案内対象候補が選択されるとは限らない。利用者Ｕが実際には所在しない案内対象の案内識別情報Ｇが登録情報Ｅに登録されると、利用者Ｕが実際に所在する場所とは無関係のコンテンツＣが端末装置３０に配信される結果となる。以上の事情を考慮して、第４実施形態では、端末装置３０の位置を示す位置情報を登録要求Ｒに使用する。
【００６４】
図１６は、第４実施形態の端末装置３０の構成図である。図１６に例示される通り、第４実施形態の端末装置３０は、第３実施形態で例示した端末装置３０の各要素に位置特定部３６７が付加された構成を有する。位置特定部３６７は、端末装置３０の位置を測位するＧＰＳ（Global Positioning System）などの測位機器を含んで構成され、端末装置３０の位置を示す位置情報Ｘを生成する。
【００６５】
図１７は、第４実施形態において端末装置３０が登録要求Ｒを生成する動作のフローチャートである。利用者Ｕからの指示を契機として情報抽出部３６１による抽出処理が開始すると（ＳB1）、管理部３６４は、情報抽出部３６１が案内識別情報Ｇを抽出できたか否かを判定する（ＳB2）。案内識別情報Ｇが抽出できた場合（ＳB2：YES）、第３実施形態と同様に、当該案内識別情報Ｇを含む登録要求Ｒの生成（ＳB3）と当該登録要求Ｒの送信（ＳB4）とが実行される。
【００６６】
他方、情報抽出部３６１が案内識別情報Ｇを抽出できない場合（ＳB2：NO）、管理部３６４は、位置特定部３６７が位置情報Ｘを生成できる状態であるか否かを判定する（ＳC1）。位置情報Ｘを生成できる場合（ＳC1：YES）、管理部３６４は、位置特定部３６７が生成した位置情報Ｘに対応する案内識別情報Ｇを特定し（ＳC2）、当該案内識別情報Ｇと端末識別情報Ｔとを含む登録要求Ｒを生成する（ＳC3）。位置情報Ｘに対応する案内識別情報Ｇの特定には、例えば地理的な範囲や施設毎に案内識別情報Ｇを登録したデータテーブルを利用することが可能である。通信部３５は、ステップＳC3で管理部３６４が生成した登録要求Ｒを情報提供装置２０に送信する（ＳB4）。
【００６７】
位置特定部３６７がＧＰＳを測位機器として含む構成では、衛星電波が到来しにくい場所（例えば地下鉄の駅構内等）に端末装置３０が所在する場合に位置情報Ｘを特定できない場合がある。位置特定部３６７が位置情報Ｘを生成できない場合（ＳC1：NO）、第３実施形態と同様に、利用者Ｕに対する複数の案内対象候補の提示（ＳB5）と利用者Ｕが選択した案内対象候補の案内識別情報Ｇを含む登録要求Ｒの生成（ＳB6）とが実行され、通信部３５から登録要求Ｒが送信される（ＳB4）。
【００６８】
以上の構成によれば、情報抽出部３６１が案内識別情報Ｇを取得できない場合に、端末装置３０の位置情報Ｘに対応する案内識別情報Ｇを含む登録要求Ｒが情報提供装置２０に送信される。したがって、利用者Ｕが実際に所在する場所に関連するコンテンツＣを提供できるという利点がある。また、位置情報Ｘを生成できない場合には、利用者Ｕが選択した案内対象候補の案内識別情報Ｇを含む登録要求Ｒが送信されるから、案内識別情報Ｇも位置情報Ｘも取得できない状況でも利用者ＵにコンテンツＣを提供することが可能である。
【００６９】
なお、以上の説明では、位置情報Ｘに対応する案内識別情報Ｇを端末装置３０にて特定して登録要求Ｒに含める構成を例示したが、位置情報Ｘを含む登録要求Ｒを端末装置３０から情報提供装置２０に送信し、当該位置情報Ｘに対応する案内識別情報Ｇを情報提供装置２０にて特定することも可能である。すなわち、ステップＳC3で生成される登録要求Ｒは、位置情報Ｘが示す位置に近い案内対象に対応するコンテンツＣの配信先として当該端末装置３０を登録するための要求として包括される。
【００７０】
また、前述の例示では、位置情報Ｘに対応する１個の案内識別情報Ｇを管理部３６４が一意に特定できる場合（ＳC2）を便宜的に想定したが、実際には、例えば位置情報Ｘが示す位置の近傍に複数の施設が存在する場合に、位置情報Ｘに対して複数の案内識別情報Ｇが特定される（すなわち、位置情報Ｘからは１個の案内識別情報Ｇを一意に絞り込めない）可能性も想定される。そこで、位置情報Ｘから１個の案内識別情報Ｇを特定できるか否かを管理部３６４が判定する構成も採用され得る。１個の案内識別情報Ｇを特定できる場合、管理部３６４は、第４実施形態の例示と同様に、当該位置情報Ｘを含む登録要求Ｒを生成する（ＳC3）。他方、複数の案内識別情報Ｇが特定される場合、管理部３６４は、これらの案内識別情報Ｇが示す複数の案内対象候補を利用者Ｕに提示し（ＳB5）、利用者Ｕが選択した１個の案内対象候補の案内識別情報Ｇを含む登録要求Ｒを生成する（ＳB6）。すなわち、位置情報Ｘを生成できない場合（ＳC1：N0）に加えて（またはこの場合に代えて）、位置情報Ｘから１個の案内識別情報Ｇを特定できない場合に、複数の案内対象候補が利用者Ｕに提示される。
【００７１】
＜変形例＞
以上に例示した各態様は多様に変形され得る。具体的な変形の態様を以下に例示する。以下の例示から任意に選択された２個以上の態様は、相互に矛盾しない範囲で適宜に併合され得る。
【００７２】
（１）前述の各形態では、音声案内装置１０が利用される場面として、電車やバス等の交通機関の音声案内を例示したが、音声案内装置１０が利用される場面は、以上の例示に限定されない。例えば、航空会社が運行する航空便に関する音声案内や、美術館や博物館等の展示施設、宿泊施設、商業施設等の各種の施設の音声案内に、前述の各形態と同様の音声案内装置１０が利用される。また、各種の施設にて火災や地震等の災害が発生した場合の情報提供（例えば避難の案内や状況の通知）に音声案内装置１０を利用することも可能である。
【００７３】
（２）前述の各形態では、案内音声の発音内容を翻訳した文字列をコンテンツＣとして例示したが、コンテンツＣの内容は以上の例示に限定されない。例えば、案内音声の発音内容を表現した文字列、当該文字列を適用した音声合成で生成された合成音声、翻訳後の文字列を適用した音声合成で生成された合成音声を表すコンテンツＣを生成してもよい。コンテンツＣが音響を表す場合、当該音響を放音するスピーカーやイヤホン等の放音装置が出力部３４として利用される。
【００７４】
（３）前述の各形態では、相互に別体の情報提供装置２０と音声案内装置１０とで情報提供システム１を構成したが、音声案内装置１０の構成は以上の例示に限定されない。例えば、情報提供装置２０の一部または全部の機能を音声案内装置１０に搭載することも可能である。
【００７５】
（４）第３実施形態では、情報抽出部３６１による処理開始から所定時間内に案内識別情報Ｇが取得されなかった場合に、端末装置３０に記憶された複数の候補を利用者に提示（表示）させる構成を例示した。以上の例示以外に、例えば外部装置（サーバー）に記憶部３３を設置し、情報抽出部３６１によって案内識別情報Ｇが取得されなかった場合に、通信網４００を介した通信で外部装置から受信した複数の候補を提示（表示）してもよい。また、複数の候補を利用者に提示する態様は、表示に限定されない。例えば複数の候補を表す文字列を利用した音声合成により、当該文字列を発音した合成音声を放音することで複数の候補を利用者に提示してもよい。
【００７６】
（５）第３実施形態では、案内対象候補テーブルＴBに登録された全部の案内対象候補を利用者Ｕに提示したが、端末装置３０の実際の位置の近傍の案内対象候補を選択して利用者Ｕに提示することも可能である。例えば、候補提示部３６６は、位置特定部３６７が特定した位置情報Ｘの位置を含む所定の範囲内の複数の案内対象候補を利用者に提示する。以上の構成によれば、端末装置３０の位置を含む所定の範囲内の複数の候補が利用者Ｕに提示されるから、端末装置３０の実際の位置とは無関係な候補まで利用者Ｕに構成と比較して、案内対象候補を選択する利用者Ｕの負担を軽減することが可能である。
【００７７】
（６）案内音声の放音毎に配信されるコンテンツＣのうち利用者Ｕから指示されたコンテンツＣを再生する第１実施形態の構成と、案内識別情報Ｇを取得できない場合に利用者Ｕが選択した案内対象候補の案内識別情報Ｇを含む登録要求Ｒを情報提供装置２０に送信する第３実施形態および第４実施形態の構成とは、相互に独立に成立し得る。したがって、案内音声の放音毎に配信されるコンテンツＣのうち利用者Ｕから指示されたコンテンツＣを再生する構成は、第３実施形態および第４実施形態から省略され得る。
【００７８】
（７）第４実施形態では、端末装置３０の位置を示す位置情報Ｘを登録要求Ｒに使用する構成を例示した。音声案内装置１０が電車やバス等の交通機関で利用される場合、交通機関の移動にともなって端末装置３０の位置情報Ｘは経時的に変化する。以上の事情を考慮して、端末装置３０の過去の移動の履歴から将来の移動を予測して位置情報Ｘを生成することも可能である。
【００７９】
（８）前述の各形態では、情報提供装置２０から端末装置３０にコンテンツＣ自体を送信する構成を例示したが、端末装置３０でコンテンツＣを取得するための構成は以上の例示に限定されない。例えば、情報提供装置２０から端末装置３０に対してコンテンツＣの識別情報Ｄを送信（プッシュ配信）し、端末装置３０から情報提供装置２０に対し、識別情報Ｄを含むコンテンツＣの配信要求を送信してもよい。
【００８０】
（９）前述の各形態で例示した端末装置３０の機能は、前述の通り制御部３６とプログラムとの協働で実現される。プログラムは、コンピュータが読取可能な記録媒体に格納された形態で提供されてコンピュータにインストールされ得る。記録媒体は、例えば非一過性（non-transitory）の記録媒体であり、ＣＤ-ＲＯＭ等の光学式記録媒体（光ディスク）が好例であるが、半導体記録媒体や磁気記録媒体等の公知の任意の形式の記録媒体を包含し得る。また、以上に例示したプログラムは、通信網を介した配信の形態で提供されてコンピュータにインストールされ得る。
【００８１】
（１０）本発明は、前述の各形態に係る端末装置３０の動作方法（コンテンツ管理方法）としても特定され得る。具体的には、本発明の好適な態様にコンテンツ管理方法においては、コンピュータ（単体の装置のほか、相互に別体の複数の装置で構成されたコンピュータシステムも含む）が、情報提供装置２０から配信されたコンテンツＣを受信し、受信したコンテンツＣを記憶部３３に記憶し、利用者Ｕからの指示を受付けた場合にコンテンツＣを再生装置に再生させ、当該指示を受付けない場合に当該コンテンツＣを再生させない。
【符号の説明】
【００８２】
１……情報提供システム、１０……音声案内装置、１１……操作部、１２……制御部、１３……記憶部、１２２……読出部、１２４……信号処理部、１２４２……変調処理部、１２４４……混合処理部、１２６……提供指示部、２０……情報提供装置、３０……端末装置、３１……収音部、３２……操作部、３３……記憶部、３４……出力部、３５……通信部、３６……制御部、３６２……指示受付部、３６３……再生制御部、３６４……管理部、３６６……候補提示部、３６７……位置特定部。
【図１】
2020038695.tif 000003
【図２】
2020038695.tif 000004
【図３】
2020038695.tif 000005
【図４】
2020038695.tif 000006
【図５】
2020038695.tif 000007
【図６】
2020038695.tif 000008
【図７】
2020038695.tif 000009
【図８】
2020038695.tif 000010
【図９】
2020038695.tif 000011
【図１０】
2020038695.tif 000012
【図１１】
2020038695.tif 000013
【図１２】
2020038695.tif 000014
【図１３】
2020038695.tif 000015
【図１４】
2020038695.tif 000016
【図１５】
2020038695.tif 000017
【図１６】
2020038695.tif 000018
【図１７】
2020038695.tif 000019